(57)【要約】【課題】使用するネットワークインタフェースカードＮＩＣを切り替える場合であっても、無線リソースを浪費することなく、移動端末ＭＮ＃１宛てのパケットの到達性を確保する。【解決手段】本発明に係る移動端末ＭＮ＃１は、複数のネットワークインタフェースカードＮＩＣと、ネットワークインタフェースカードＮＩＣの各々に設定されているリンク層アドレスを収集する収集部１１と、代表リンク層アドレスを決定する決定部１３と、制御装置ＰＡに対してページング登録パケットを送信する際に代表リンク層アドレスを通知する通知部１００と、代表リンク層アドレス及び所定のネットワーク層アドレスを用いてアドレス解決を行うアドレス解決部１００とを具備する。【選択図】図１
2008211823.tif 000002
【特許請求の範囲】
【請求項１】
制御装置が、移動端末宛てのパケットを受信した場合に、該移動端末のページングエリアに対してページング通知パケットを送信することによって、該移動端末の位置情報を取得して該パケットの転送先を決定するページング制御を実現するパケット通信システムにおいて、
複数のネットワークインタフェースカードと、
前記ネットワークインタフェースカードの各々に設定されているリンク層アドレスを収集する収集部と、
収集した前記リンク層アドレスの中から代表リンク層アドレスを決定する決定部と、
前記制御装置に対して、前記ページングエリアを形成するためのページング登録パケットを送信する際に、前記代表リンク層アドレスを通知する通知部と、
前記代表リンク層アドレス及び所定のネットワーク層アドレスを用いてアドレス解決を行うアドレス解決部とを具備することを特徴とする移動端末。
【請求項２】
全ての前記ネットワークインタフェースカードに前記代表リンク層アドレスを設定する代表リンク層アドレス設定部を具備することを特徴とする請求項１に記載の移動端末。
【請求項３】
全ての前記ネットワークインタフェースカードに対して、リンク層におけるアドレスフィルタリング機能の停止を指示するフィルタリング制御部を具備することを特徴とする請求項１に記載の移動端末。
【請求項４】
制御装置が、移動端末宛てのパケットを受信した場合に、該移動端末のページングエリアに対してページング通知パケットを送信することによって、該移動端末の位置情報を取得して該パケットの転送先を決定するページング制御を実現するパケット通信システムにおいて、
複数のネットワークインタフェースカードを具備する前記移動端末から、該移動端末のページングエリアを形成するためのページング登録パケットと共に、該ネットワークインタフェースカードの各々に設定されているリンク層アドレスの中から決定された代表リンク層アドレスを受信する受信部と、
前記移動端末に割り当てられているネットワーク層アドレス及び受信した前記代表リンク層アドレスに基づいて、該移動端末のページングエリアを管理する管理部とを具備することを特徴とする制御装置。
【請求項５】
制御装置が、受信した移動端末宛てのパケットについての経路制御を実現するパケット通信システムにおいて、
複数のネットワークインタフェースカードと、
前記ネットワークインタフェースカードの各々に設定されているリンク層アドレスを収集するリンク層アドレス収集部と、
所定のネットワーク層アドレス及び収集した複数の前記リンク層アドレスを、前記制御装置に通知する通知部とを具備することを特徴とする移動端末。
【請求項６】
前記パケット通信システムは、前記制御装置が、移動端末宛てのパケットを受信した場合に、該移動端末のページングエリアに対してページング通知パケットを送信することによって、該移動端末の位置情報を取得して該パケットの転送先を決定するページング制御を実現するものであって、
前記通知部は、前記ページングエリアを形成するためのページング登録パケットと共に、前記複数のリンク層アドレスを通知することを特徴とする請求項５に記載の移動端末。
【請求項７】
制御装置が、受信した移動端末宛てのパケットについての経路制御を実現するパケット通信システムにおいて、
複数のネットワークインタフェースカードを具備する前記移動端末から、該ネットワークインタフェースカードの各々に設定されている複数のリンク層アドレスを受信する受信部と、
前記移動端末に割り当てられているネットワーク層アドレス及び受信した前記複数の代表リンク層アドレスに基づいて、前記経路制御を実現するための経路制御情報を管理する管理部とを具備することを特徴とする制御装置。
【請求項８】
前記パケット通信システムは、前記制御装置が、移動端末宛てのパケットを受信した場合に、該移動端末のページングエリアに対してページング通知パケットを送信することによって、該移動端末の位置情報を取得して該パケットの転送先を決定するページング制御を実現するものであって、
前記受信部は、複数のネットワークインタフェースカードを具備する前記移動端末から、該移動端末のページングエリアを形成するためのページング登録パケットと共に、該ネットワークインタフェースカードの各々に設定されている複数のリンク層アドレスを受信し、
前記管理部は、前記ネットワーク層アドレス及び受信した前記複数の代表リンク層アドレスに基づいて、該移動端末のページングエリアを管理することを特徴とする請求項７に記載の制御装置。
【請求項９】
複数のホームエージェントが、それぞれホームアドレス及び気付けアドレスに基づいて、受信した移動端末宛てのパケットについての経路制御を実現するパケット通信システムにおいて、
前記複数のホームエージェントの各々と接続可能な複数のネットワークインタフェースカードと、
前記ネットワークインタフェースカードの各々と前記ホームアドレスとを関連付けて管理する管理部と、
複数のネットワークインタフェースカードの中から、前記移動端末宛てのパケットを受信する代表ネットワークインタフェースカードを決定する決定部と、
前記複数のホームエージェントに対して、前記代表ネットワークインタフェースカードに関連付けられた代表ホームアドレス宛てに、前記移動端末宛てのパケットを転送するように指示する指示部とを具備することを特徴とする移動端末。
【請求項１０】
前記指示部は、前記複数のホームエージェントに対して、前記代表ホームアドレス向けのバインディング更新によって前記指示を行うことを特徴とする請求項９に記載の移動端末。
【請求項１１】
前記パケット通信システムは、ＤＮＳサーバを介して、前記移動端末宛てのパケットを前記ホームエージェントに転送するように構成されており、
前記指示部は、ＤＮＳサーバに対して、前記代表ホームアドレス宛てに、前記移動端末宛てのパケットを転送するように指示することを特徴とする請求項９又は１０に記載の移動端末。
【請求項１２】
複数のホームエージェントが、それぞれホームアドレス及び気付けアドレスに基づいて、受信した移動端末宛てのパケットについての経路制御を実現するパケット通信システムにおいて、
複数のネットワークインタフェースカードを具備する前記移動端末から、該ネットワークインタフェースカードの各々に関連付けられているホームアドレスの中から決定された代表ホームアドレスを受信する受信部と、
前記代表ホームアドレス宛てに、前記移動端末宛てのパケットを転送するパケット転送部とを具備することを特徴とするホームエージェント。
【請求項１３】
前記代表ホームアドレス宛ての経路情報を管理する経路情報管理部を具備し、
前記パケット転送部は、前記代表ホームアドレス宛ての経路情報に基づいて、前記移動端末宛てのパケットを転送し、
前記経路情報管理部は、前記移動端末からのバインディング更新によって、前記代表ホームアドレス宛ての経路情報を更新することを特徴とする請求項１２に記載のホームエージェント。
【請求項１４】
前記パケット通信システムは、移動端末宛てのパケットを受信した場合に、該移動端末のページングエリアに対してページング通知パケットを送信することによって、該移動端末の位置情報を取得して該パケットの転送先を決定する制御装置を具備しており、
前記代表ホームアドレス宛ての経路情報は、前記移動端末宛てのパケットを前記制御装置に転送するように設定されていることを特徴とする請求項１３に記載のホームエージェント。
【発明の詳細な説明】
【技術分野】
【０００１】
本発明は、制御装置が、受信した移動端末宛てのパケットについての経路制御を実現するパケット通信システムにおいて用いられる移動端末及び制御装置に関する。
【０００２】
また、本発明は、制御装置が、移動端末宛てのパケットを受信した場合に、該移動端末のページングエリアに対してページング通知パケットを送信することによって、該移動端末の位置情報を取得して該パケットの転送先を決定するページング制御を実現するパケット通信システムにおいて用いられる移動端末及び制御装置に関する。
【０００３】
さらに、本発明は、複数のホームエージェントが、それぞれホームアドレス及び気付けアドレスに基づいて、受信した移動端末宛てのパケットについての経路制御を実現するパケット通信システムにおいて用いられる移動端末及びホームエージェントに関する。
【背景技術】
【０００４】
従来のパケット通信システムでは、ユニキャストアドレスを用いたＩＰパケットの転送に先立って、ネットワークインタフェースカードのリンク層アドレス（又は、カードアドレス）とネットワーク層アドレス（ＩＰアドレス）とを対応付けるアドレス解決プロトコル（ＡＲＰ：Ａｄｄｒｅｓｓ  Ｒｅｓｏｌｕｔｉｏｎ  Ｐｒｏｔｏｃｏｌ）や近隣探索プロトコル（ＮＤＰ：Ｎｅｉｇｈｂｏｒ  Ｄｉｓｃｏｖｅｒｙ  Ｐｒｏｔｏｃｏｌ）によって、当該ＩＰパケットの到達性を確保するように構成されていた。
【０００５】
なお、ＩＰアドレスは、予めネットワークインタフェースカードに割り当てられる静的設定によって決定されたり、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）等の動的設定によって決定されたり、ＩＰｖ６に見られるアドレス自動生成技術を用いてリンク層のネットワークインタフェースカードアドレスや乱数に基づき演算されることにより決定されたりする。
【０００６】
従来のパケット通信システムにおいて、移動端末（モバイルノード又はホスト）が、パケット到達手段として、複数のネットワークインタフェースカードを有する場合、当該複数のネットワークインタフェースカードから、通信コストの低い通信リンクシステムに対応するネットワークインタフェースカードを選択するようなユーザ指向によるインターフェース利用技術が、アクセスリンクマネージャ等の対話型アプリケーション技術として実現されている。
【０００７】
また、かかる場合、自律的なネットワークインタフェースカードの選択方法として、複数のネットワークインタフェースカードを管理するマルチプルインタフェースマネージャ（ＭＩＭ）が知られている。ＭＩＭは、ネットワークインタフェースカードの各々から収集した属性や測定値等を用いて所定の条件判断を行い、使用するネットワークインタフェースカードを選択するように構成されている。
【０００８】
また、従来、移動端末宛てのパケット転送を実現するパケット通信システムとして、ＭｏｂｉｌｅＩＰ及びその拡張技術であるモビリティマネージメント制御を行うパケット通信システムが知られている。かかるモビリティマネージメント制御では、ホームアドレスをパケット転送の制御単位として用いている。ここで、ホームアドレスは、ホームエージェントが存在するホームリンクにおいて、移動端末に割り当てられるものであり、当該ホームリンクのサブネットに属するＩＰアドレスである。
【０００９】
上述のモビリティマネージメント制御を行うパケット通信システムは、移動端末（モバイルノード）が、パケット到達手段として複数のホームアドレスを有する場合、例えば、利用用途や利用通信システムの種類に対応して複数のホームエージェントと接続する場合や、同一ホームエージェント内に複数のホームアドレスを有するマルチホーミング状態にある場合に、各ホームアドレスを単位として、それぞれ独立に経路制御を行うように構成されている。
【特許文献１】特開平１１-７４９２７号
【特許文献２】特開２０００-１８３９０５号
【特許文献３】特開平１１-３５５３２２号
【発明の開示】
【発明が解決しようとする課題】
【００１０】
しかしながら、従来のパケット通信システムにおけるネットワークインタフェースカードの選択技術では、ＩＰアドレス（ネットワーク層アドレス）を特に考慮しないため、ネットワークインタフェースカードとＩＰアドレスとの対応関係を保持しない。したがって、従来のネットワークインタフェースカードの選択技術では、同一のＩＰアドレスが割り当てられているネットワークインタフェースカード間であっても、使用するネットワークインタフェースカードを切り替える度に、上述の対応関係を取得するために、ＡＲＰやＮＤＰといったアドレス解決手段が必要となるという問題点があった。
【００１１】
また、従来のネットワークインタフェースカードの選択技術では、使用するネットワークインタフェースカードを切り替える際に、使用するＩＰアドレスが変わるため、パケットの経路変更手順が必要になるという問題点があった。
【００１２】
例えば、リンク層アドレスを用いたＩＰｖ６のアドレス自動生成技術では、同一ネットワークドメインに属する場合でも、使用するネットワークインタフェースカードを切り替える度に、使用するＩＰアドレスが変わるため、パケットの経路変更手順が必要になる。
【００１３】
また、ＤＨＣＰのようなネットワーク側によるＩＰアドレスの自動割当（動的設定）の場合でも、通信リンク（アクセスリンク）システムの種類や所有者が異なれば、ネットワークドメインも一般的に異なるため、使用するネットワークインタフェースカードを切り替える度に、使用するＩＰアドレスが変わり、パケットの経路変更手順が必要になる。
【００１４】
すなわち、従来のパケット通信システムでは、使用するネットワークインタフェースカードを切り替える度に、移動端末が、ＩＰネットワーク内の制御装置（経路制御エージェントやや中継エージェント等）や送信端末に対して、当該移動端末に到達することができるＩＰアドレスを登録する必要がある。したがって、従来のパケット通信システムでは、これらの登録に係るＩＰパケットが無線リンクを経由するため、無線リソースを浪費するという問題点があった。
【００１５】
なお、かかる問題点は、位置登録エリアよりも広範なページングエリア単位で当該移動端末の位置登録を行うことによって、当該移動端末の位置登録制御に係る制御信号量を低減させると共に、当該移動端末の間欠受信技術と連動した省電力化を実現するページング制御技術において、ページングエージェントが、移動端末の位置情報（サブネット）を正確に取得することができないという問題点を引き起こす可能性が高い。
【００１６】
一方、従来のモビリティマネージメント技術では、同一の移動端末に割り振られた複数のＩＰアドレスの対応関係を保持しないため、当該移動端末宛てにＩＰパケットを送信する場合、特定のホームアドレスに伴う転送経路がリンク断等で到達不能になっていると、他のホームアドレスに伴う転送経路が有効で到達可能であっても、当該ＩＰパケットの転送が失敗するという問題点があった。
【００１７】
また、従来のパケット通信システムにおいても、移動端末が、利用用途や通信コストやネットワークインタフェースカードの省電力制御に基づいて、複数のＩＰアドレスを動的に有効と無効とを変更する場合であっても、ＩＰアドレス間での対応関係を保持しないため、送信端末から移動端末へのパケットの転送が失敗するという問題点があった。また、かかる場合、移動端末が、ＩＰアドレスの有効と無効とを変更する度に、送信端末や名前解決（ＤＮＳ：Ｄｏｍａｉｎ  Ｎａｍｅ  Ｓｙｓｔｅｍ）サーバにその旨を制御パケットにより通知すると、その頻度に応じてリソースを浪費するという問題点があった。
【００１８】
そこで、本発明は、以上の点に鑑みてなされたもので、使用するネットワークインタフェースカードを切り替える場合であっても、無線リソースを浪費することなく、パケットの到達性を確保することが可能なパケット通信システムで用いられる移動端末、制御装置及びホームエージェントを提供することを目的とする。
【課題を解決するための手段】
【００１９】
本発明の第１の特徴は、制御装置が、移動端末宛てのパケットを受信した場合に、該移動端末のページングエリアに対してページング通知パケットを送信することによって、該移動端末の位置情報を取得して該パケットの転送先を決定するページング制御を実現するパケット通信システムにおいて用いられる移動端末であって、複数のネットワークインタフェースカードと、前記ネットワークインタフェースカードの各々に設定されているリンク層アドレスを収集する収集部と、収集した前記リンク層アドレスの中から代表リンク層アドレスを決定する決定部と、前記制御装置に対して前記ページングエリアを形成するためのページング登録パケットを送信する際に前記代表リンク層アドレスを通知する通知部と、前記代表リンク層アドレス及び所定のネットワーク層アドレスを用いてアドレス解決を行うアドレス解決部とを具備することを要旨とする。
【００２０】
かかる発明によれば、移動端末が、複数のネットワークインタフェースを具備する場合であっても、代表リンク層アドレスと所定のネットワーク層アドレスと用いてアドレス解決を行うため、使用するネットワークインタフェースの切り替えに伴うＩＰパケット（例えば、ページング登録パケット等）の発生を抑制することができる。
【００２１】
また、かかる発明によれば、利用用途や通信品質や通信コストや省電力制御等に基づいて、代表リンク層アドレスを決定することによって、各種条件を満たす最適な転送経路で、全てのパケットを受信することができる。
【００２２】
本発明の第１の特徴において、全ての前記ネットワークインタフェースカードに前記代表リンク層アドレスを設定する代表リンク層アドレス設定部を具備することことが好ましい。
【００２３】
本発明の第１の特徴において、全ての前記ネットワークインタフェースカードに対して、リンク層におけるアドレスフィルタリング機能の停止を指示するフィルタリング制御部を具備することが好ましい。
【００２４】
本発明の第２の特徴は、制御装置が、移動端末宛てのパケットを受信した場合に、該移動端末のページングエリアに対してページング通知パケットを送信することによって、該移動端末の位置情報を取得して該パケットの転送先を決定するページング制御を実現するパケット通信システムにおいて用いられる制御装置であって、複数のネットワークインタフェースカードを具備する前記移動端末から、該移動端末のページングエリアを形成するためのページング登録パケットと共に、該ネットワークインタフェースカードの各々に設定されているリンク層アドレスの中から決定された代表リンク層アドレスを受信する受信部と、前記移動端末に割り当てられているネットワーク層アドレス及び受信した前記代表リンク層アドレスに基づいて、該移動端末のページングエリアを管理する管理部とを具備することを要旨とする。
【００２５】
本発明の第３の特徴は、制御装置が、受信した移動端末宛てのパケットについての経路制御を実現するパケット通信システムにおいて用いられる移動端末であって、複数のネットワークインタフェースカードと、前記ネットワークインタフェースカードの各々に設定されているリンク層アドレスを収集するリンク層アドレス収集部と、所定のネットワーク層アドレス及び収集した複数の前記リンク層アドレスを前記制御装置に通知する通知部とを具備することを要旨とする。
【００２６】
本発明の第３の特徴において、前記パケット通信システムが、前記制御装置が、移動端末宛てのパケットを受信した場合に、該移動端末のページングエリアに対してページング通知パケットを送信することによって、該移動端末の位置情報を取得して該パケットの転送先を決定するページング制御を実現するものであって、前記通知部が、前記ページングエリアを形成するためのページング登録パケットと共に、前記複数のリンク層アドレスを通知することが好ましい。
【００２７】
本発明の第４の特徴は、制御装置が、受信した移動端末宛てのパケットについての経路制御を実現するパケット通信システムにおいて用いられる制御装置であって、複数のネットワークインタフェースカードを具備する前記移動端末から、該ネットワークインタフェースカードの各々に設定されている複数のリンク層アドレスを受信する受信部と、前記移動端末に割り当てられているネットワーク層アドレス及び受信した前記複数の代表リンク層アドレスに基づいて、前記経路制御を実現するための経路制御情報を管理する管理部とを具備することを要旨とする。
【００２８】
本発明の第４の特徴において、前記パケット通信システムが、前記制御装置が、移動端末宛てのパケットを受信した場合に、該移動端末のページングエリアに対してページング通知パケットを送信することによって、該移動端末の位置情報を取得して該パケットの転送先を決定するページング制御を実現するものであって、前記受信部が、複数のネットワークインタフェースカードを具備する前記移動端末から、該移動端末のページングエリアを形成するためのページング登録パケットと共に、該ネットワークインタフェースカードの各々に設定されている複数のリンク層アドレスを受信し、前記管理部が、前記ネットワーク層アドレス及び受信した前記複数の代表リンク層アドレスに基づいて、該移動端末のページングエリアを管理することが好ましい。
【００２９】
本発明の第５の特徴は、複数のホームエージェントが、それぞれホームアドレス及び気付けアドレスに基づいて、受信した移動端末宛てのパケットについての経路制御を実現するパケット通信システムにおいて用いられる移動端末であって、前記複数のホームエージェントの各々と接続可能な複数のネットワークインタフェースカードと、前記ネットワークインタフェースカードの各々と前記ホームアドレスとを関連付けて管理する管理部と、複数のネットワークインタフェースカードの中から、前記移動端末宛てのパケットを受信する代表ネットワークインタフェースカードを決定する決定部と、前記複数のホームエージェントに対して、前記代表ネットワークインタフェースカードに関連付けられた代表ホームアドレス宛てに、前記移動端末宛てのパケットを転送するように指示する指示部とを具備することを要旨とする。
【００３０】
本発明の第５の特徴において、前記指示部が、前記複数のホームエージェントに対して、前記代表ホームアドレス向けのバインディング更新によって前記指示を行うことが好ましい。
【００３１】
本発明の第５の特徴において、前記パケット通信システムが、ＤＮＳサーバを介して、前記移動端末宛てのパケットを前記ホームエージェントに転送するように構成されており、前記指示部が、ＤＮＳサーバに対して、前記代表ホームアドレス宛てに、前記移動端末宛てのパケットを転送するように指示することが好ましい。
【００３２】
本発明の第６の特徴は、複数のホームエージェントが、それぞれホームアドレス及び気付けアドレスに基づいて、受信した移動端末宛てのパケットについての経路制御を実現するパケット通信システムにおいて用いられるホームエージェントであって、複数のネットワークインタフェースカードを具備する前記移動端末から、該ネットワークインタフェースカードの各々に関連付けられているホームアドレスの中から決定された代表ホームアドレスを受信する受信部と、前記代表ホームアドレス宛てに、前記移動端末宛てのパケットを転送するパケット転送部とを具備することを要旨とする。
【００３３】
本発明の第６の特徴において、前記代表ホームアドレス宛ての経路情報を管理する経路情報管理部を具備し、前記パケット転送部が、前記代表ホームアドレス宛ての経路情報に基づいて、前記移動端末宛てのパケットを転送し、前記経路情報管理部は、前記移動端末からのバインディング更新によって、前記代表ホームアドレス宛ての経路情報を更新することが好ましい。
【００３４】
本発明の第６の特徴において、前記パケット通信システムが、移動端末宛てのパケットを受信した場合に、該移動端末のページングエリアに対してページング通知パケットを送信することによって、該移動端末の位置情報を取得して該パケットの転送先を決定する制御装置を具備しており、前記代表ホームアドレス宛ての経路情報は、前記移動端末宛てのパケットを前記制御装置に転送するように設定されていることが好ましい。
【発明の効果】
【００３５】
以上説明したように、本発明によれば、使用するネットワークインタフェースカードＮＩＣを切り替える場合であっても、無線リソースを浪費することなく、パケットの到達性を確保することが可能なパケット通信システムで用いられる移動端末、制御装置及びホームエージェントを提供することができる。
【発明を実施するための最良の形態】
【００３６】
（本発明の第１の実施形態に係るパケット通信システムの構成）
図１乃至図３を参照して、本発明の第１の実施形態に係るパケット通信システムの構成について説明する。
【００３７】
本実施形態に係るパケット通信システムは、図１に示すように、経路制御エージェントＭＡ、ＰＡと、アクセスルータＡＲ１、ＡＲ２と、通信リンクシステムＡＰ１、ＢＳ１、ＢＳ２と、モバイルノードＭＮ＃１とを具備している。
【００３８】
本実施形態に係るパケット通信システムは、経路制御エージェント（制御装置）ＰＡが、モバイルノード（移動端末）ＭＮ＃１宛てのパケットを受信した場合に、当該モバイルノードＭＮ＃１のページングエリアに対してページング通知パケットを送信することによって、当該モバイルノードＭＮ＃１の位置情報（サブネット）を取得して当該パケットの転送先を決定するページング制御を実現するものである。
【００３９】
図２に示すように、モバイルノードＭＮ＃１は、複数のネットワークインタフェースカードＮＩＣ＃１乃至ＮＩＣ＃ｎと、通信マネージャＭＩＭと、制御部１５と、上位層マネージャ１００とを具備している。
【００４０】
複数のネットワークインタフェースカードＮＩＣ＃１乃至ＮＩＣ＃ｎは、それぞれＭＡＣアドレス（リンク層アドレス）が設定されるように構成されている。
また、ネットワークインタフェースカードＮＩＣ＃１は、通信リンクシステムＡＰ１に接続可能に構成されており、ネットワークインタフェースカードＮＩＣ＃２は、通信リンクシステムＢＳ１及びＢＳ２に接続可能に構成されている。
【００４１】
モバイルノードＭＮ＃１は、ネットワークインタフェースカードＮＩＣ＃１乃至ＮＩＣ＃ｎによって、通信リンクシステム及びアクセスルータＡＲを介して、ＩＰネットワークに接続可能である。
【００４２】
通信マネージャＭＩＭは、リンク層アドレス収集部１１と、ネットワークインタフェースカード情報記憶部１２と、ネットワークインタフェースカード決定部１３と、代表リンク層アドレス設定部１４とを具備している。
【００４３】
リンク層アドレス収集部１１は、ネットワークインタフェースカードＮＩＣ＃１乃至ＮＩＣ＃ｎの各々に設定されているＭＡＣアドレスを収集する収集部を構成する。また、リンク層アドレス収集部１１は、ネットワークインタフェースカードＮＩＣ＃１乃至ＮＩＣ＃ｎの各々から、上述のＭＡＣアドレスと共に、ネットワークインタフェースカードＮＩＣ＃１乃至ＮＩＣ＃ｎの特徴を収集するように構成されていてもよい。
【００４４】
ネットワークインタフェースカード情報記憶部１２は、ネットワークインタフェースカードＮＩＣ＃１乃至ＮＩＣ＃ｎの各々から収集したＭＡＣアドレスや特徴等のネットワークインタフェースカードに係る情報を記憶するものである。ここで、上述の特徴には、接続可能な通信リンクシステムの種類や、通信コストや、電力測定値や、ユーザ嗜好（ビジネス用途としての利用状況等）が反映された優先順位等が含まれる。
【００４５】
ネットワークインタフェースカード決定部１３は、収集したＭＡＣアドレスの中から代表ＭＡＣアドレスを決定する決定部を構成する。ネットワークインタフェースカード決定部１３は、収集した上述の特徴に基づいて、所定条件に合致するネットワークインタフェースカードを選択し、ユーザからの指示に応じて選択されたネットワークインタフェースカードの中から代表ＭＡＣアドレスを選択可能に構成されていてもよい。
【００４６】
なお、ネットワークインタフェースカード決定部１３は、収集したＭＡＣアドレスから、ランダムに選択したＭＡＣアドレスを、代表ＭＡＣアドレスとして決定するように構成されていてもよい。
【００４７】
また、ネットワークインタフェースカード決定部１３は、ネットワークインタフェースカードＮＩＣ＃１乃至ＮＩＣ＃ｎの中から、使用するネットワークインタフェースカードを決定するものである。
【００４８】
代表リンク層アドレス設定部１４は、全てのネットワークインタフェースカードＮＩＣ＃１乃至ＮＩＣ＃ｎに、代表ＭＡＣアドレスを設定するものである。
【００４９】
制御部１５は、通信マネージャＭＩＭや上位層マネージャ１００を含むモバイルノードＭＮ＃１の全ての機能を制御するものである。
【００５０】
また、制御部１５は、モバイルノードＭＮ＃１を、動作モード（通常モード又はページング制御モード）に応じて動作させるように構成されている。
【００５１】
モバイルノードＭＮ＃１は、通常モードで動作している場合、制御部１５によって、ＭｏｂｉｌｅＩＰ又はその拡張技術によるモビリティマネージメント動作を行うように制御される。
【００５２】
一方、モバイルノードＭＮ＃１は、ページング制御モードで動作している場合、制御部１５によって、モビリティマネージメント動作を休止し、経路制御エージェントＰＡに対して、ページングエリアを形成するためのページング登録パケットを送信するように制御される。
【００５３】
上位層マネージャ１００は、リンク層より上位の層（例えば、ネットワーク層）における制御を行うものである。例えば、上位層マネージャ１００は、必要に応じて、経路制御エージェントＭＡと協働して、ＩＰ層における制御を行うことによって、ＩＰパケットの送受信を実現する。
【００５４】
また、上位層マネージャ１００は、経路制御エージェント（制御装置）ＰＡに対して、モバイルノードＭＮ＃１のページングエリアを形成するためのページング登録パケットを送信する際に、代表ＭＡＣアドレスを通知する通知部を構成する。ここで、ページング登録パケットに、ＩＰアドレス及び代表ＭＡＣアドレスが含まれるように構成されていてもよい。
【００５５】
また、上位層マネージャ１００は、代表ＭＡＣアドレス及び所定のＩＰアドレス（ネットワーク層アドレス）を用いてアドレス解決を行うアドレス解決部を構成する。
【００５６】
この結果、使用するネットワークインタフェースカードＮＩＣの切り替えが発生した場合であっても、使用するＭＡＣアドレスが変わらないため、モバイルノードＭＮ＃１は、ＡＲＰやＮＤＰ等のアドレス解決処理の発生なく、通信を継続することができる。
【００５７】
また、モバイルノードＭＮ＃１は、ネットワークインタフェースカードＮＩＣに設定されているＭＡＣアドレスをキーとした自動生成によりＩＰアドレスが割り当てられるルータセグメントに存在する場合であっても、同様に、使用するＭＡＣアドレスが変わらないため、ＩＰアドレスも変わらない。したがって、同一のルータセグメントに収容される通信リンクにおけるネットワークインタフェースカードＮＩＣの切り替えでは、経路変更が行われることはない。
【００５８】
なお、モバイルノードＭＮ＃１は、ネットワークインタフェースカードＮＩＣの切り替えが発生した場合であっても、使用するＭＡＣアドレス及びＩＰパケットが変更されないため、ページング登録パケットを送信する必要がなく、ページング登録パケットの送信数を抑制することができる。
【００５９】
図３に示すように、経路制御エージェントＰＡは、ページング登録パケット受信部３１と、ページングエリア形成部３２と、ページングエリア管理部３３と、パケット検出部３４と、ページング通知パケット送信部３５と、ページング通知確認パケット受信部３６と、パケット転送部３７とを具備する制御装置である。
【００６０】
ページング登録パケット受信部３１は、モバイルノードＭＮ＃１から送信された、当該モバイルノードＭＮ＃１のページングエリアを形成するためのページング登録パケットを受信してページングエリア形成部２２に送信するものである。
【００６１】
また、ページング登録パケット受信部３１は、複数のネットワークインタフェースカードＮＩＣ＃１乃至ＮＩＣ＃ｎを具備するモバイルノードＭＮ＃１から、上述のページング登録パケットと共に、当該ネットワークインタフェースカードＮＩＣ＃１乃至ＮＩＣ＃ｎの各々に設定されているＭＡＣアドレスの中から決定された代表ＭＡＣアドレスを受信するように構成されている。
【００６２】
また、ページング登録パケット受信部３１は、アクセスルータＡＲ１と通信リンクシステムＡＰ１とネットワークインタフェースカードＮＩＣ＃１と通信マネージャＭＩＭとを介して、ページングエリアを形成した旨を通知するページング登録応答パケットを、モバイルノードＭＮ＃１に送信する。
【００６３】
ページングエリア形成部３２は、受信したページング登録パケットに基づいて、モバイルノードＭＮ＃１のページングエリアを形成するものである。例えば、ページングエリア形成部２２は、受信したページング登録パケットに含まれるサブネットを示す情報から、モバイルノード＃１のページングエリアをサブネット＃１及び＃２とする。
【００６４】
ページングエリア管理部３３は、モバイルノード＃１のページングエリアを管理するものである。
【００６５】
例えば、ページングエリア管理部３３は、「ＩＰアドレス」と「ＭＡＣアドレス」と「ページングエリア」とを関連付けて記憶する。図３の例では、ページングエリア管理部３３は、ＩＰアドレスとして「ＩＰ_ＭＮ＃１」を、ＭＡＣアドレスとして「代表ＭＡＣアドレス＃１」を、ページングエリアとして「サブネット＃１、＃２」を管理している。
【００６６】
すなわち、ページングエリア管理部３３は、モバイルノードＭＮ＃１に割り当てられているＩＰアドレス「ＩＰ_ＭＮ＃１」及び受信した代表ＭＡＣアドレス「代表ＭＡＣアドレス＃１」に基づいて、モバイルノードＭＮ＃１のページングエリアを管理する管理部を構成する。
【００６７】
パケット検出部３４は、モバイルノードＭＮ＃１宛てのＩＰパケットを検出してバッファリングすると共に、その旨をページング通知パケット送信部３５に通知するものである。また、パケット検出部３４は、パケット転送部３７からの指示に応じて、バッファリングしているモバイルノードＭＮ＃１宛てのＩＰパケットを送信する。
【００６８】
ページング通知パケット送信部３５は、パケット検出部３４からの通知に応じて、モバイルノードＭＮ＃１のページングエリアを構成するサブネット＃１及び＃２に対して、ページング通知パケットを送信するものである。
【００６９】
ページング通知確認パケット受信部３６は、モバイルノードＭＮ＃１から送信されたページング通知確認パケットを受信して、その旨をパケット転送部３７に通知するものである。
【００７０】
パケット転送部３７は、受信したページング通知確認パケットに対応するＩＰパケットをパケット検出部３４から抽出し、抽出したＩＰパケットを、ページング通知確認パケットに含まれるモバイルノードＭＮ＃１のサブネットに基づいて転送するものである。
【００７１】
アクセスルータＡＲ１乃至ＡＲ２は、ＩＰネットワーク内に配置されており、ＩＰアドレスに基づいてルーティング処理を行うものである。例えば、アクセスルータＡＲ１は、通信リンクシステムＡＰ１及びＢＳ１に接続されており、サブネット＃１を管理する。また、アクセスルータＡＲ２は、通信リンクシステムＢＳ２に接続されており、サブネット＃２を管理する。
【００７２】
通信リンクシステムは、アクセスルータＡＲに接続されており、ＭＡＣアドレスに基づいてリンク層における転送制御を行うものである。
【００７３】
（本実施形態に係るパケット通信システムの動作）
図４及び図５を参照して、本実施形態に係るパケット通信システムの動作について説明する。
【００７４】
図４に示すように、ステップ４０１において、モバイルノードＭＮ＃１の電源が投入されるか、又は、モバイルノードＭＮ＃１にネットワークインタフェースアドレスＮＩＣが増設される。
【００７５】
ステップ４０２において、リンク層アドレス収集部１１が、ネットワークインタフェースカードＮＩＣ＃１乃至ＮＩＣ＃ｎの各々に設定されているＭＡＣアドレスを収集する。
【００７６】
ステップ４０３において、ネットワークインタフェースカード決定部１３が、収集したＭＡＣアドレスの中から代表ＭＡＣアドレスと、使用するネットワークインタフェースカードＮＩＣ＃１とを決定する。
【００７７】
ステップ４０４において、代表リンク層アドレス設定部１４が、全てのネットワークインタフェースカードＮＩＣ＃１乃至ＮＩＣ＃ｎに、代表ＭＡＣアドレスを設定する。
【００７８】
ステップ４０５において、上位層マネージャ１００は、上述の代表ＭＡＣアドレス及び所定のＩＰアドレスを用いて、通信マネージャＭＩＭとネットワークインタフェースカードＮＩＣ＃１と通信リンクシステムＡＰ１とを介して、アクセスルータＡＲ１との間で、アドレス解決処理を実施する。
【００７９】
ステップ４０６において、制御部１５が、ページング制御モードによる動作を開始する。
【００８０】
ステップ４０７乃至ステップ４１１において、上位層マネージャ１００は、通信マネージャＭＩＭとネットワークインタフェースカードＮＩＣ＃１と通信リンクシステムＡＰ１とアクセスルータＡＲ１とを介して、上述の代表ＭＡＣアドレス及び所定のＩＰアドレスを含むページング登録パケットを、上述の代表ＭＡＣアドレス及びＩＰアドレスを用いて、アドレス解決処理を実施することなく、経路制御エージェントＰＡに送信する。
【００８１】
ステップ４１２において、ページングエリア形成部３２が、受信したページング登録パケットに基づいて、上述の代表ＭＡＣアドレス及び所定のＩＰアドレスに関連付けられたページングエリア（例えば、サブネット＃１及び＃２）を形成する。
【００８２】
ステップ４１３乃至ステップ４１７において、ページング登録パケット受信部３１は、アクセスルータＡＲ１と通信リンクシステムＡＰ１とネットワークインタフェースカードＮＩＣ＃１と通信マネージャＭＩＭとを介して、ページングエリアを形成した旨を通知するページング登録応答パケットを、上述の代表ＭＡＣアドレス及びＩＰアドレスを用いて、アドレス解決処理を実施することなく、モバイルノードＭＮ＃１の上位層マネージャ１００に送信する。
【００８３】
図５に示すように、ステップ５０１において、ネットワークインタフェースカード決定部１３が、使用するネットワークインタフェースカードを、ネットワークインタフェースカードＮＩＣ＃１からネットワークインタフェースカードＮＩＣ＃２に変更することを決定する。
【００８４】
ステップ５０２において、制御部１５は、ネットワークインタフェースカードＮＩＣ＃２に対して、動作開始を指示する。
【００８５】
ステップ５０３において、ネットワークインタフェースカードＮＩＣ＃２は、設定されている代表ＭＡＣアドレスを用いて、通信リンクシステムＢＳ１との間で、通信リンクを確立する。
【００８６】
ステップ５０４において、ネットワークインタフェースカードＮＩＣ＃２は、動作を開始した旨を制御部１５に対して通知する。
【００８７】
ステップ５０５において、制御部１５は、ネットワークインタフェースカードＮＩＣ＃１に対して、動作休止を指示する。
【００８８】
ステップ５０６において、ネットワークインタフェースカードＮＩＣ＃１は、設定されている代表ＭＡＣアドレスを用いて、通信リンクシステムＢＳ１との間で、通信リンクを解放する。
【００８９】
ステップ５０７において、ネットワークインタフェースカードＮＩＣ＃１は、動作を休止した旨を制御部１５に対して通知する。
【００９０】
ステップ５０８において、経路制御エージェントＰＡのパケット検出部３４が、モバイルノードＭＮ＃１宛てのパケットを受信し、ステップ５０９において、ページング通知パケット送信部３５が、モバイルノードＭＮ＃１宛てのパケットを受信した旨を通知するページング通知パケットをアクセスルータＡＲ１に送信する。
【００９１】
ステップ５１０において、アクセスルータＡＲ１は、モバイルノードＭＮ＃１のページングエリア、すなわち、サブネット＃１及び＃２を管理する通信リンクシステムＡＰ１及びＢＳ１に対して、上述のページング通知パケットを送信する。
【００９２】
ステップ５１１及び５１２において、通信リンクシステムＡＰ１及びＢＳ１は、上述の代表ＭＡＣアドレス及びＩＰアドレスを用いて、アドレス解決処理を実施することなく、上述のページング通知パケットを、それぞれネットワークインタフェースカードＮＩＣ＃１及び＃２に送信する。ここで、上述のページング通知パケットは、ネットワークインタフェースカードＮＩＣ＃１では受信されない。
【００９３】
ステップ５１３及びステップ５１４において、ネットワークインタフェースカードＮＩＣ＃２で受信されたページング通知パケットは、上位層マネージャ１００に送信される。
【００９４】
ステップ５１５乃至ステップ５１９において、上位層マネージャ１００は、上述のページング通知パケット対応するページング通知確認パケットを、通信マネージャＭＩＭとネットワークインタフェースカードＮＩＣ＃２と通信リンクシステムＢＳ１とアクセスルータＡＲ１とを介して、上述の代表ＭＡＣアドレス及びＩＰアドレスを用いて、アドレス解決処理を実施することなく、経路制御エージェントＰＡに送信する。
【００９５】
ステップ５２０において、パケット転送部３７が、受信したページング通知確認パケットに応じて、パケット検出部３４においてバッファリングされているモバイルノードＭＮ＃１宛てのパケットを抽出する。
【００９６】
ステップ５２１乃至５２５において、パケット転送部３７が、モバイルノードＭＮ＃１宛てのパケットを、アクセスルータＡＲ１と通信リンクシステムＢＳ１とネットワークインタフェースカードＮＩＣ＃２と通信マネージャＭＩＭとを介して、上述の代表ＭＡＣアドレス及びＩＰアドレスを用いて、アドレス解決処理を実施することなく、上位層マネージャ１００に送信する。
【００９７】
（本実施形態に係るパケット通信システムの作用・効果）
本実施形態に係るパケット通信システムによれば、モバイルノードＭＮ＃１が、複数のネットワークインタフェースＮＩＣ＃１乃至ＮＩＣ＃ｎを具備する場合であっても、代表ＭＡＣアドレスと所定のＩＰアドレスと用いてアドレス解決を行うため、使用するネットワークインタフェースＮＩＣの切り替えに伴うＩＰパケット（例えば、ページング登録パケット等）の発生を抑制することができる。
【００９８】
また、本実施形態に係るパケット通信システムによれば、利用用途や通信品質や通信コストや省電力制御等に基づいて、代表ＭＡＣアドレスを決定することによって、各種条件を満たす最適な転送経路で、全てのパケットを受信することができる。
【００９９】
（本発明の第２の実施形態に係るパケット通信システム）  
図６乃至図８を参照して、本発明の第２の実施形態に係るパケット通信システムについて説明する。以下、主として、本実施形態に係るパケット通信システムについて、上述の第１の実施形態に係るパケット通信システムとの相違点について説明する。
【０１００】
図６に示すように、本実施形態に係るモバイルノードＭＮ＃１の構成は、フィルタリング制御部１６を具備する点、及び、リンク層アドレス収集部１１と代表リンクアドレス設定部１４とを具備しない点を除いて、上述の第１の実施形態に係るモバイルノードＭＮ＃１の構成と同一である。
【０１０１】
フィルタリング制御部１６は、全てのネットワークインタフェースカードＮＩＣ＃１乃至ＮＩＣ＃ｎに対して、リンク層におけるアドレスフィルタリング機能の開始及び停止を指示するものである。
【０１０２】
図７及び図８を参照して、本実施形態に係るパケット通信システムの動作について説明する。
【０１０３】
図７に示すように、ステップ７０１において、モバイルノードＭＮ＃１の電源が投入されるか、又は、モバイルノードＭＮ＃１にネットワークインタフェースアドレスＮＩＣが増設される。
【０１０４】
ステップ７０２において、フィルタリング制御部１６は、全てのネットワークインタフェースカードＮＩＣ＃１乃至ＮＩＣ＃ｎに対して、リンク層におけるアドレスフィルタリング機能の停止を指示する。
【０１０５】
ステップ７０３において、ネットワークインタフェースカード決定部１３が、収集したＭＡＣアドレスの中から代表ＭＡＣアドレスと、使用するネットワークインタフェースカードＮＩＣ＃１とを決定する。
【０１０６】
ステップ７０４において、制御部１５は、ネットワークインタフェースカードＮＩＣ＃１に対して、動作開始を指示する。
【０１０７】
ステップ７０５において、ネットワークインタフェースカードＮＩＣ＃１は、ネットワークインタフェースカードＮＩＣ＃１に設定されているＭＡＣアドレス＃１を用いて、通信リンクシステムＡＰ１との間で、通信リンクを確立する。
【０１０８】
ステップ７０６において、制御部１５は、ネットワークインタフェースカードＮＩＣ＃２乃至ＮＩＣ＃ｎに対して、動作休止を指示する。
【０１０９】
ステップ７０７において、上位層マネージャ１００は、上述の代表ＭＡＣアドレス及び所定のＩＰアドレスを用いて、通信マネージャＭＩＭとネットワークインタフェースカードＮＩＣ＃１と通信リンクシステムＡＰ１とを介して、アクセスルータＡＲ１との間で、アドレス解決処理を実施する。
【０１１０】
ステップ７０８において、制御部１５が、ページング制御モードによる動作を開始する。
【０１１１】
ステップ７０９乃至ステップ７１３において、上位層マネージャ１００は、通信マネージャＭＩＭとネットワークインタフェースカードＮＩＣ＃１と通信リンクシステムＡＰ１とアクセスルータＡＲ１とを介して、上述の代表ＭＡＣアドレス及び所定のＩＰアドレスを含むページング登録パケットを、上述の代表ＭＡＣアドレス及びＩＰアドレスを用いて、アドレス解決処理を実施することなく、経路制御エージェントＰＡに送信する。
【０１１２】
ステップ７１４において、ページングエリア形成部３２が、受信したページング登録パケットに基づいて、上述の代表ＭＡＣアドレス及び所定のＩＰアドレスに関連付けられたページングエリア（例えば、サブネット＃１及び＃２）を形成する。
【０１１３】
ステップ７１５乃至ステップ７１９において、ページング登録パケット受信部３１は、アクセスルータＡＲ１と通信リンクシステムＡＰ１とネットワークインタフェースカードＮＩＣ＃１と通信マネージャＭＩＭとを介して、ページングエリアを形成した旨を通知するページング登録応答パケットを、上述の代表ＭＡＣアドレス及びＩＰアドレスを用いて、アドレス解決処理を実施することなく、モバイルノードＭＮ＃１の上位層マネージャ１００に送信する。
【０１１４】
図８に示す本実施形態に係るパケット通信システムの動作は、図５に示す第１の実施形態に係るパケット通信システムの動作と同一である。
【０１１５】
本実施形態に係るパケット通信システムでは、ネットワークインタフェースカードＮＩＣが、受信したパケットに付与されているＭＡＣアドレス（代表ＭＡＣアドレス）が、当該ネットワークインタフェースカードＮＩＣに設定されているＭＡＣアドレスでない場合でも、当該パケットを、全て上位層マネージャ１００に転送するため、同一サブネットにおけるネットワークインタフェースカードＮＩＣの切り替えによって、新たなアドレス解決処理は発生しない。
【０１１６】
（本発明の第３の実施形態に係るパケット通信システム）
図９乃至図１２を参照して、本発明の第３の実施形態に係るパケット通信システムについて説明する。以下、主として、本実施形態に係るパケット通信システムについて、上述の第１の実施形態に係るパケット通信システムとの相違点について説明する。
【０１１７】
図９に示すように、本実施形態に係るモバイルノードＭＮ＃１の構成は、代表リンクアドレス設定部１４を具備しない点を除いて、上述の第１の実施形態に係るモバイルノードＭＮ＃１の構成と同一である。
【０１１８】
また、本実施形態に係るモバイルノードＭＮ＃１は、所定のＩＰアドレス、及び、リンク層アドレス収集部１１によって収集された全てのネットワークインタフェースカードＮＩＣ＃１乃至ＮＩＣ＃ｎに設定されている複数のＭＡＣアドレス＃１乃至＃ｎを、経路制御エージェントＰＡに通知するように構成されている。
【０１１９】
具体的には、上位層マネージャ１００は、ページング登録パケットと共に、上述の複数のＭＡＣアドレス＃１乃至＃ｎを通知するように構成されている。
【０１２０】
また、本実施形態に係る経路制御エージェントＰＡのページング管理部３３は、図１０に示すように、モバイルノードＭＮ＃１に割り当てられているＩＰアドレス「ＩＰ_ＭＮ＃１」及び複数の代表ＭＡＣアドレス＃１乃至＃ｎに基づいて、ページングエリア「サブネット＃１及び＃２」（すなわち、経路制御を実現するための経路制御情報）を管理するように構成されている。
【０１２１】
図１１及び図１２を参照して、本実施形態に係るパケット通信システムの動作について説明する。
【０１２２】
図１１に示すように、ステップ１１０１において、モバイルノードＭＮ＃１の電源が投入されるか、又は、モバイルノードＭＮ＃１にネットワークインタフェースアドレスＮＩＣが増設される。
【０１２３】
ステップ１１０２において、リンク層アドレス収集部１１が、ネットワークインタフェースカードＮＩＣ＃１乃至ＮＩＣ＃ｎの各々に設定されているＭＡＣアドレスを収集する。
【０１２４】
ステップ１１０３において、ネットワークインタフェースカード決定部１３が、収集したＭＡＣアドレスの中から代表ＭＡＣアドレスと、使用するネットワークインタフェースカードＮＩＣ＃１とを決定する。
【０１２５】
ステップ１１０４において、制御部１５は、ネットワークインタフェースカードＮＩＣ＃１に対して、動作開始を指示する。
【０１２６】
ステップ１１０５において、ネットワークインタフェースカードＮＩＣ＃１は、ネットワークインタフェースカードＮＩＣ＃１に設定されているＭＡＣアドレス＃１を用いて、通信リンクシステムＡＰ１との間で、通信リンクを確立する。
【０１２７】
ステップ１１０６において、上位層マネージャ１００は、上述のＭＡＣアドレス＃１及び所定のＩＰアドレスを用いて、通信マネージャＭＩＭとネットワークインタフェースカードＮＩＣ＃１と通信リンクシステムＡＰ１とを介して、アクセスルータＡＲ１との間で、アドレス解決処理を実施する。
【０１２８】
ステップ１１０７において、制御部１５が、ページング制御モードによる動作を開始する。
【０１２９】
ステップ１１０８乃至ステップ１１１２において、上位層マネージャ１００は、通信マネージャＭＩＭとネットワークインタフェースカードＮＩＣ＃１と通信リンクシステムＡＰ１とアクセスルータＡＲ１とを介して、上述の複数のＭＡＣアドレス＃１乃至＃ｎ及び所定のＩＰアドレスを含むページング登録パケットを、上述のＭＡＣアドレス＃１及びＩＰアドレスを用いて、アドレス解決処理を実施することなく、経路制御エージェントＰＡに送信する。
【０１３０】
ステップ１１１３において、ページングエリア形成部３２が、受信したページング登録パケットに基づいて、上述のＭＡＣアドレス＃１乃至＃ｎ及び所定のＩＰアドレスに関連付けられたページングエリア（例えば、サブネット＃１及び＃２）を形成する。
【０１３１】
ステップ１１１４乃至ステップ１１１８において、ページング登録パケット受信部３１は、アクセスルータＡＲ１と通信リンクシステムＡＰ１とネットワークインタフェースカードＮＩＣ＃１と通信マネージャＭＩＭとを介して、ページングエリアを形成した旨を通知するページング登録応答パケットを、上述のＭＡＣアドレス＃１及びＩＰアドレスを用いて、アドレス解決処理を実施することなく、モバイルノードＭＮ＃１の上位層マネージャ１００に送信する。
【０１３２】
図１２に示すように、ステップ１２００において、経路制御エージェントＰＡのパケット検出部３４が、モバイルノードＭＮ＃１宛てのパケットを受信し、ステップ１２０１及びステップ１２０４において、ページング通知パケット送信部３５が、ＭＡＣアドレス＃１を含むページング通知パケット及びＭＡＣアドレス＃２を含むページング通知パケットを、それぞれアクセスルータＡＲ１に送信する。
【０１３３】
ステップ１２０２及び１２０５において、アクセスルータＡＲ１は、モバイルノードＭＮ＃１のページングエリア、すなわち、サブネット＃１及び＃２を管理する通信リンクシステムＡＰ１及びＢＳ１に対して、上述のページング通知パケットをそれぞれ送信する。
【０１３４】
ステップ１２０３において、通信リンクシステムＡＰ１は、ＭＡＣアドレス＃１を用いて、ネットワークインタフェースカードＮＩＣ＃１との間で通信リンクの確立を試みるが、失敗する。
【０１３５】
一方、ステップ１２０６において、通信リンクシステムＢＳ１は、ＭＡＣアドレス＃２を用いて、ネットワークインタフェースカードＮＩＣ＃２との間で通信リンクを確立する。
【０１３６】
ステップ１２０７において、通信リンクシステムＢＳ１は、ＭＡＣアドレス＃２及びＩＰアドレスを用いて、アドレス解決処理を実施することなく、上述のページング通知パケットを、それぞれネットワークインタフェースカードＮＩＣ＃２に送信する。
【０１３７】
ステップ１２０８及びステップ１２０９において、ネットワークインタフェースカードＮＩＣ＃２で受信されたページング通知パケットは、上位層マネージャ１００に送信される。
【０１３８】
ステップ１２１０において、上位層マネージャ１００とアクセスルータＡＲ１との間で、通信マネージャＭＩＭとネットワークインタフェースカードＮＩＣ＃２と通信リンクシステムＢＳ１とを介して、上述のＭＡＣアドレス＃２及び所定のＩＰアドレスを用いて、アドレス解決処理が実施される。
【０１３９】
ステップ１２１１乃至ステップ１２１５において、上位層マネージャ１００は、上述のページング通知パケット対応するページング通知確認パケットを、通信マネージャＭＩＭとネットワークインタフェースカードＮＩＣ＃２と通信リンクシステムＢＳ１とアクセスルータＡＲ１とを介して、上述のＭＡＣアドレス＃２及びＩＰアドレスを用いて、アドレス解決処理を実施することなく、経路制御エージェントＰＡに送信する。
【０１４０】
ステップ１２１６において、パケット転送部３７が、受信したページング通知確認パケットに応じて、パケット検出部３４においてバッファリングされているモバイルノードＭＮ＃１宛てのパケットを抽出する。
【０１４１】
ステップ１２１７乃至１２２１において、パケット転送部３７が、モバイルノードＭＮ＃１宛てのパケットを、アクセスルータＡＲ１と通信リンクシステムＢＳ１とネットワークインタフェースカードＮＩＣ＃２と通信マネージャＭＩＭとを介して、上述のＭＡＣアドレス＃２及びＩＰアドレスを用いて、アドレス解決処理を実施することなく、上位層マネージャ１００に送信する。
【０１４２】
（本発明の第４の実施形態に係るパケット通信システム）
図１３乃至図１６を参照して、本発明の第４の実施形態に係るパケット通信システムについて説明する。以下、主として、本実施形態に係るパケット通信システムについて、上述の第１の実施形態に係るパケット通信システムとの相違点について説明する。
【０１４３】
図１３に示すように、本実施形態に係るパケット通信システムは、経路制御エージェントＰＡと、ホームエージェントＨＡ１、ＨＡ２と、アクセスルータＡＲ１乃至ＡＲ３と、通信リンクシステムＡＰ１、ＢＳ１、ＡＰｎと、モバイルノードＭＮ＃１とを具備している。
【０１４４】
本実施形態に係るパケット通信システムは、複数のホームエージェントＨＡ１及びＨＡ２が、それぞれホームアドレス及び気付けアドレスに基づいて、受信したモバイルノードＭＮ＃１宛てのパケットについての経路制御を実現するものである。本実施形態において、モバイルノードＭＮ＃１は、マルチホーム状態にあるものとする。
【０１４５】
また、図１４に示すように、本実施形態に係るモバイルノードＭＮ＃１の構成は、リンク層アドレス収集部１１と代表リンク層アドレス設定部１４とを具備しない点、及び、上位層マネージャ１００内にホームアドレス管理部１０１及び制御部１０２を具備する点を除いて、上述の第１の実施形態に係るモバイルノードＭＮ＃１の構成と同一である。
【０１４６】
ホームアドレス管理部１０１は、「ホームアドレス」と「ホームエージェント」と「気付けアドレス」と「ネットワークインタフェースカードＮＩＣ」とを関連付けて管理するものである。
【０１４７】
また、制御部１０２は、制御部１５と協働して、ホームエージェントＨＡ１及びＨＡ２に対して、モバイルノードＭＮ＃１宛てのパケットを受信するように決定された代表ネットワークインタフェースカードに関連付けられた代表ホームアドレス宛てに、モバイルノードＭＮ＃１宛てのパケットを転送するように指示する。
【０１４８】
図１５に示すように、ホームエージェントＨＡ２は、経路情報管理部５１と、パケット受信部５２と、パケット転送部５３と、更新情報受信部５４とを具備する。
【０１４９】
経路情報管理部５１は、「ホームアドレス」と「転送アドレス」とを関連付けることによって、上述の代表ホームアドレス宛ての経路情報を管理するように構成されている。
【０１５０】
パケット受信部５２は、企業Ａネットワークを介して各種パケットを受信するものである。
【０１５１】
パケット転送部５３は、経路情報管理部５１を参照して、代表ホームアドレス宛てに、モバイルノードＭＮ＃１宛てのパケットを転送するように構成されている。
【０１５２】
更新情報受信部５４は、モバイルノードＭＮ＃１からのバインディング更新情報を受信し、経路情報管理部５１内の代表ホームアドレス宛ての経路情報を更新するように構成されている。
【０１５３】
図１６を参照して、本実施形態に係るパケット通信システムの動作について説明する。
【０１５４】
本実施形態では、モバイルノードＭＮ＃１は、通信コストが最も安い通信リンクシステムに対応したネットワークインタフェースカードＮＩＣ＃１、ユーザがビジネス用途として利用しているネットワークインタフェースカードＮＩＣ＃１、又は、最も省電力化に資するネットワークインタフェースカードＮＩＣ＃１だけを有効として、その他のネットワークインタフェースカードＮＩＣを無効として、リンクダウン又は動作停止とするものとする。
【０１５５】
このような場合、無効となったネットワークインタフェースカードＮＩＣ＃２に対応する通信リンクシステムＢＳ１を用いてインターネット接続サービスを提供するインターネットサービスプロバイダ（ＩＳＰ）や、当該通信システムＢＳ１が接続するＩＰネットワークにおいて、モバイルノードＭＮ＃１のホームアドレスＨｏＡ２を管理するホームエージェントＨＡ２が存在すると、モバイルノードＭＮ＃１が、有効な転送経路であるネットワークインタフェースカードＮＩＣ＃１を有するにも関わらず、このホームエージェントＨＡ２を基点とする転送経路では、モバイルノードＭＮ＃１にパケットを到達させることができなくなる。
【０１５６】
かかる不具合を解決するために、本実施形態に係るパケット通信システムは、以下のように動作する。
【０１５７】
ステップ１５０１において、ネットワークインタフェースカード決定部１３は、ネットワークインタフェースカードＮＩＣ＃１を、代表ネットワークインタフェースカードと決定する。
【０１５８】
ステップ１５０２及び１５０３において、制御部１５は、ネットワークインタフェースカードＮＩＣ＃１及びＮＩＣ＃２に対して、ネットワークインタフェースカードＮＩＣ＃２からネットワークインタフェースカードＮＩＣ＃１への切り替え通知を送信する。
【０１５９】
ネットワークインタフェースカードＮＩＣ＃１は、ステップ１５０４において、アクセスルータＡＲ１から、通信リンクシステムＡＰ１におけるサブネット＃１に属する気付けアドレスＬＣｏＡ１を取得して、ステップ１５０５及びステップ１５０６において、ホームエージェントＨＡ１に対して、ホームアドレスＨｏＡ１及び気付けアドレスＬＣｏＡ１によるバインディング更新（ＨｏＡ１→ＬＣｏＡ１）を行うことによって、ネットワークインタフェースカードＮＩＣ＃１とホームエージェントＨＡ１との間の転送経路を確保する。
【０１６０】
ステップ１５０７乃至１５０９において、ネットワークインタフェースカードＮＩＣ＃１は、上述の切り替えによって不通となる転送経路に対応するホームエージェントＨＡ２に対して、ホームアドレスＨｏＡ２及びホームアドレス（代表ホームアドレス）ＨｏＡ１によるバインディング更新（ＨｏＡ２→ＨｏＡ１）を行う。
【０１６１】
ステップ１５１０において、ホームエージェントＨＡ２は、宛先アドレスとしてホームアドレスＨｏＡ２が指定されているモバイルノードＭＮ＃１宛てのパケットを受信する。
【０１６２】
ステップ１５１１において、ホームエージェントＨＡ２は、経路情報管理部５１を参照して、当該モバイルノードＭＮ＃１宛てのパケットを、ホームエージェントＨＡ１に転送する。
【０１６３】
ステップ１５１２乃至１５１５において、ホームエージェントＨＡ１で受信されたモバイルノードＭＮ＃１宛てのパケットは、ネットワークインタフェースカードＮＩＣ＃１とホームエージェントＨＡ１との間の転送経路を介して、モバイルノードＭＮ＃１の上位層マネージャ１００まで到達する。
【０１６４】
なお、本実施形態において、モバイルノードＭＮ＃１は、送受すべきパケットがない場合に、在圏するアクセスルータＡＲの変更に伴うバインディング更新を停止し、モバイルノードＭＮ＃１宛てのパケットを経路制御エージェントＰＡ宛てに転送されるように構成されていてもよい。
【０１６５】
かかる場合、全てのホームエージェントＨＡにおいて、宛先アドレスとして自身が管理するモバイルノードＭＮ＃１のホームアドレスＨｏＡが指定されているモバイルノードＭＮ＃１宛てのパケットを、経路制御エージェントＰＡに転送するように設定される。
【０１６６】
この結果、如何なるホームエージェントＨＡ経由によっても、モバイルノードＭＮ＃１宛てのパケットは、全て経路制御エージェントＰＡに転送されるため、確実なページングが可能となる。
【０１６７】
（本発明の第５の実施形態に係るパケット通信システム）
図１７を参照して、本発明の第５の実施形態に係るパケット通信システムについて説明する。以下、主として、本実施形態に係るパケット通信システムについて、上述の第４の実施形態に係るパケット通信システムとの相違点について説明する。本実施形態に係るモバイルノードＭＮ＃１及びホームエージェントＨＡの構成は、上述の第４の実施形態に係るモバイルノードＭＮ＃１及びホームエージェントＨＡの構成と同一である。
【０１６８】
以下、図１７を参照して、本実施形態に係るパケット通信システムの動作について説明する。
【０１６９】
ステップ１６０１において、ネットワークインタフェースカード決定部１３は、モバイルノードＭＮ＃１の通信状況等によって、ネットワークインタフェースカードＮＩＣ＃１を、代表ネットワークインタフェースカードと決定する。
【０１７０】
ステップ１６０２及び１６０３において、制御部１５は、ネットワークインタフェースカードＮＩＣ＃ｎ及びＮＩＣ＃２に対して、ネットワークインタフェースカードＮＩＣ＃ｎからネットワークインタフェースカードＮＩＣ＃１への切り替え通知を送信する。
【０１７１】
ネットワークインタフェースカードＮＩＣ＃１は、ステップ１６０４において、アクセスルータＡＲ１から、通信リンクシステムＡＰ１におけるサブネット＃１に属する気付けアドレスＬＣｏＡ１を取得して、ステップ１６０５及びステップ１６０６において、ホームエージェントＨＡ１に対して、ホームアドレスＨｏＡ１及び気付けアドレスＬＣｏＡ１によるバインディング更新（ＨｏＡ１→ＬＣｏＡ１）を行うことによって、ネットワークインタフェースカードＮＩＣ＃１とホームエージェントＨＡ１との間の転送経路を確保する。
【０１７２】
ステップ１５０７において、上位層マネージャ１００は、ＤＮＳサーバに対して、ホームアドレス（代表ホームアドレス）ＨｏＡ１宛てに、モバイルノードＭＮ＃１宛てのパケットを転送するように指示するためのＤＮＳ登録を行う。
【０１７３】
モバイルノードＭＮ＃１の上位層マネージャ１００は、ネットワークインタフェースカードの切り替えによって、ホームエージェントの変更を検出する度に、上述のＤＮＳ登録を行う。
【０１７４】
本実施形態に係るパケット通信システムによれば、通信相手ＣＮは、複数存在するモバイルノードＭＮ＃１宛ての転送経路の中から、有効な転送経路をＤＮＳから検索することができる。
【図面の簡単な説明】
【０１７５】
【図１】本発明の第１乃至第３の実施形態に係るパケット通信システムの全体構成図である。
【図２】本発明の第１の実施形態に係るモバイルノードの機能ブロック図である。
【図３】本発明の第１の実施形態に係る経路制御エージェントの機能ブロック図である。
【図４】本発明の第１の実施形態におけるパケット通信システムの動作を示すシーケンス図である。
【図５】本発明の第１の実施形態におけるパケット通信システムの動作を示すシーケンス図である。
【図６】本発明の第２の実施形態に係るモバイルノードの機能ブロック図である。
【図７】本発明の第２の実施形態におけるパケット通信システムの動作を示すシーケンス図である。
【図８】本発明の第２の実施形態におけるパケット通信システムの動作を示すシーケンス図である。
【図９】本発明の第３の実施形態に係るモバイルノードの機能ブロック図である。
【図１０】本発明の第３の実施形態に係る経路制御エージェントのページングエリア管理部における管理内容の一例を示す図である。
【図１１】本発明の第３の実施形態におけるパケット通信システムの動作を示すシーケンス図である。
【図１２】本発明の第３の実施形態におけるパケット通信システムの動作を示すシーケンス図である。
【図１３】本発明の第４及び５の実施形態に係るパケット通信システムの全体構成図である。
【図１４】本発明の第４及び５の実施形態に係るモバイルノードの機能ブロック図である。
【図１５】本発明の第４及び５の実施形態に係るホームエージェントの機能ブロック図である。
【図１６】本発明の第４の実施形態におけるパケット通信システムの動作を示すシーケンス図である。
【図１７】本発明の第５の実施形態におけるパケット通信システムの動作を示すシーケンス図である。
【符号の説明】
【０１７６】
ＡＰ１、ＡＰｎ、ＢＳ１、ＢＳ２…通信リンクシステム
ＡＲ１、ＡＲ２、ＡＲ３…アクセスルータ
ＣＮ…通信相手
ＤＮＳ…名前解決サーバ
ＨＡ１、ＨＡ２…ホームエージェント
ＭＡ、ＰＡ…経路制御エージェント
ＭＩＭ…通信マネージャ
ＭＮ＃１…モバイルノード
ＮＩＣ＃１、ＮＩＣ＃２、ＮＩＣ＃ｎ…ネットワークインタフェースカード
１１…リンク層アドレス収集部
１２…ネットワークインタフェースカード情報記憶部
１３…ネットワークインタフェースカード決定部
１４…代表リンク層アドレス設定部
１５、１０２…制御部
１６…フィルタリング制御部３１…ページング登録パケット受信部
３２…ページングエリア形成部
３３…ページングエリア管理部
３４…パケット検出部
３５…ページング通知パケット送信部
３６…ページング通知確認パケット受信部
３７…パケット転送部
５１…経路情報管理部
５２…パケット受信部
５３…パケット転送部
５４…更新情報受信部
１００…上位層マネージャ
１０１…ホームアドレス管理部
【図１】
2008211823.tif 000003
【図２】
2008211823.tif 000004
【図３】
2008211823.tif 000005
【図４】
2008211823.tif 000006
【図５】
2008211823.tif 000007
【図６】
2008211823.tif 000008
【図７】
2008211823.tif 000009
【図８】
2008211823.tif 000010
【図９】
2008211823.tif 000011
【図１０】
2008211823.tif 000012
【図１１】
2008211823.tif 000013
【図１２】
2008211823.tif 000014
【図１３】
2008211823.tif 000015
【図１４】
2008211823.tif 000016
【図１５】
2008211823.tif 000017
【図１６】
2008211823.tif 000018
【図１７】
2008211823.tif 000019
【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
制御装置が、受信した移動端末宛てのパケットについての経路制御を実現するパケット通信システムにおける移動端末であって、
複数のネットワークインタフェースカードと、
前記ネットワークインタフェースに関する情報に基づいて、前記複数のネットワークインタフェースの中から、少なくとも１つのネットワークインタフェースカードを選択するように構成されている通信マネージャと、
選択された前記ネットワークインタフェースカードを用いて、前記制御装置から送信されたパケットを受信するように構成されている上位層マネージャとを具備し、
前記パケット通信システムは、前記制御装置が、前記移動端末宛てのパケットを受信した場合に、該移動端末のページングエリアに対してページング通知パケットを送信することによって、該移動端末の位置情報を取得して該パケットの転送先を決定するページング制御を実現するように構成されており、
前記通信マネージャは、
前記ネットワークインタフェースカードの各々に設定されているリンク層アドレスを収集する収集部と、
収集した前記リンク層アドレスの中から代表リンク層アドレスを決定する決定部とを具備しており、
前記上位層マネージャは、
前記制御装置に対して、前記ページングエリアを形成するためのページング登録パケットを送信する際に、選択された前記ネットワークインタフェースを用いて前記代表リンク層アドレスを通知する通知部と、
前記代表リンク層アドレス及び所定のネットワーク層アドレスを用いてアドレス解決を行うアドレス解決部とを具備することを特徴とする移動端末。
【請求項２】
前記通信マネージャは、全てのネットワークインタフェースカードに前記代表リンク層アドレスを設定する代表リンク層アドレス設定部を具備することを特徴とする請求項１に記載の移動端末。
【請求項３】
制御装置が、受信した移動端末宛てのパケットについての経路制御を実現するパケット通信システムにおける移動端末であって、
複数のネットワークインタフェースカードと、
前記ネットワークインタフェースに関する情報に基づいて、前記複数のネットワークインタフェースの中から、少なくとも１つのネットワークインタフェースカードを選択するように構成されている通信マネージャと、
選択された前記ネットワークインタフェースカードを用いて、前記制御装置から送信されたパケットを受信するように構成されている上位層マネージャとを具備し、
前記通信マネージャは、前記ネットワークインタフェースカードの各々に設定されているリンク層アドレスを収集する収集部を具備し、
前記上位層マネージャは、選択された前記ネットワークインタフェースを用いて、所定のネットワーク層アドレス及び収集した複数の前記リンク層アドレスを、前記制御装置に通知する通知部を具備することを特徴とする移動端末。
【請求項４】
前記パケット通信システムは、前記制御装置が、前記移動端末宛てのパケットを受信した場合に、該移動端末のページングエリアに対してページング通知パケットを送信することによって、該移動端末の位置情報を取得して該パケットの転送先を決定するページング制御を実現するように構成されており、
前記通知部は、前記ページングエリアを形成するためのページング登録パケットと共に、前記複数のリンク層アドレスを通知することを特徴とする請求項３に記載の移動端末。
【請求項５】
制御装置が、受信した移動端末宛てのパケットについての経路制御を実現するパケット通信システムにおける移動端末であって、
複数のネットワークインタフェースカードと、
前記ネットワークインタフェースに関する情報に基づいて、前記複数のネットワークインタフェースの中から、少なくとも１つのネットワークインタフェースカードを選択するように構成されている通信マネージャと、
選択された前記ネットワークインタフェースカードを用いて、前記制御装置から送信されたパケットを受信するように構成されている上位層マネージャとを具備し、
前記パケット通信システムは、複数のホームエージェントが、それぞれホームアドレス及び気付けアドレスに基づいて、受信した前記移動端末宛てのパケットについての経路制御を実現するように構成されており、
前記複数のネットワークインタフェースは、前記複数のホームエージェントの各々と接続可能に構成されており、
前記上位層マネージャは、
前記ネットワークインタフェースカードの各々と前記ホームアドレスとを関連付けて管理する管理部と、
前記複数のホームエージェントに対して、選択された前記ネットワークインタフェースカードに関連付けられている代表ホームアドレス宛てに、前記移動端末宛てのパケットを転送するように指示する指示部とを具備することを特徴とする移動端末。
【請求項６】
前記指示部は、前記複数のホームエージェントに対して、前記代表ホームアドレス向けのバインディング更新によって前記指示を行うことを特徴とする請求項５に記載の移動端末。
【請求項７】
前記パケット通信システムは、ＤＮＳサーバを介して、前記移動端末宛てのパケットを前記ホームエージェントに転送するように構成されており、
前記指示部は、前記ＤＮＳサーバに対して、前記代表ホームアドレス宛てに、前記移動端末宛てのパケットを転送するように指示することを特徴とする請求項５に記載の移動端末。
【請求項８】
制御装置が、移動端末宛てのパケットを受信した場合に、該移動端末のページングエリアに対してページング通知パケットを送信することによって、該移動端末の位置情報を取得して該パケットの転送先を決定するページング制御を実現するパケット通信システムにおける制御装置であって、
複数のネットワークインタフェースカードを具備する前記移動端末から、該移動端末のページングエリアを形成するためのページング登録パケットと共に、該ネットワークインタフェースカードの各々に設定されているリンク層アドレスの中から決定された代表リンク層アドレスを受信する受信部と、
前記移動端末に割り当てられているネットワーク層アドレス及び受信した前記代表リンク層アドレスに基づいて、該移動端末のページングエリアを管理する管理部とを具備することを特徴とする制御装置。
【請求項９】
制御装置が、受信した移動端末宛てのパケットについての経路制御を実現するパケット通信システムにおける制御装置であって、
複数のネットワークインタフェースカードを具備する前記移動端末から、該ネットワークインタフェースカードの各々に設定されている複数のリンク層アドレスを受信する受信部と、
前記移動端末に割り当てられているネットワーク層アドレス及び受信した前記複数の代表リンク層アドレスに基づいて、前記経路制御を実現するための経路制御情報を管理する管理部とを具備することを特徴とする制御装置。
【請求項１０】
前記パケット通信システムは、前記制御装置が、移動端末宛てのパケットを受信した場合に、該移動端末のページングエリアに対してページング通知パケットを送信することによって、該移動端末の位置情報を取得して該パケットの転送先を決定するページング制御を実現するように構成されており、
前記受信部は、複数のネットワークインタフェースカードを具備する前記移動端末から、該移動端末のページングエリアを形成するためのページング登録パケットと共に、該ネットワークインタフェースカードの各々に設定されている複数のリンク層アドレスを受信し、
前記管理部は、前記ネットワーク層アドレス及び受信した前記複数の代表リンク層アドレスに基づいて、該移動端末のページングエリアを管理することを特徴とする請求項９に記載の制御装置。
【請求項１１】
複数のホームエージェントが、それぞれホームアドレス及び気付けアドレスに基づいて、受信した移動端末宛てのパケットについての経路制御を実現するパケット通信システムにおけるホームエージェントであって、
複数のネットワークインタフェースカードを具備する前記移動端末から、該ネットワークインタフェースカードの各々に関連付けられているホームアドレスの中から決定された代表ホームアドレスを受信する受信部と、
前記代表ホームアドレス宛てに、前記移動端末宛てのパケットを転送するパケット転送部とを具備することを特徴とするホームエージェント。
【請求項１２】
前記代表ホームアドレス宛ての経路情報を管理する経路情報管理部を具備し、
前記パケット転送部は、前記代表ホームアドレス宛ての経路情報に基づいて、前記移動端末宛てのパケットを転送し、
前記経路情報管理部は、前記移動端末からのバインディング更新によって、前記代表ホームアドレス宛ての経路情報を更新することを特徴とする請求項１１に記載のホームエージェント。
【請求項１３】
前記パケット通信システムは、移動端末宛てのパケットを受信した場合に、該移動端末のページングエリアに対してページング通知パケットを送信することによって、該移動端末の位置情報を取得して該パケットの転送先を決定する制御装置を具備しており、
前記代表ホームアドレス宛ての経路情報は、前記移動端末宛てのパケットを前記制御装置に転送するように設定されていることを特徴とする請求項１２に記載のホームエージェント。
【手続補正書】
【提出日】平成20年4月22日(2008.4.22)
【手続補正１】
【補正対象書類名】特許請求の範囲
【補正対象項目名】全文
【補正方法】変更
【補正の内容】
【特許請求の範囲】
【請求項１】
制御装置が、受信した移動端末宛てのパケットについての経路制御を実現するパケット通信システムにおける移動端末であって、
複数のネットワークインタフェースカードと、
前記ネットワークインタフェースに関する情報に基づいて、前記複数のネットワークインタフェースの中から、少なくとも１つのネットワークインタフェースカードを選択するように構成されている通信マネージャと、
選択された前記ネットワークインタフェースカードを用いて、前記制御装置から送信されたパケットを受信するように構成されている上位層マネージャとを具備し、
前記通信マネージャは、前記ネットワークインタフェースカードの各々に設定されているリンク層アドレスを収集する収集部を具備し、
前記上位層マネージャは、選択された前記ネットワークインタフェースを用いて、所定のネットワーク層アドレス及び収集した複数の前記リンク層アドレスを、前記制御装置に通知する通知部を具備することを特徴とする移動端末。
【請求項２】
前記パケット通信システムは、前記制御装置が、前記移動端末宛てのパケットを受信した場合に、該移動端末のページングエリアに対してページング通知パケットを送信することによって、該移動端末の位置情報を取得して該パケットの転送先を決定するページング制御を実現するように構成されており、
前記通知部は、前記ページングエリアを形成するためのページング登録パケットと共に、前記複数のリンク層アドレスを通知することを特徴とする請求項１に記載の移動端末。
【請求項３】
制御装置が、受信した移動端末宛てのパケットについての経路制御を実現するパケット通信システムにおける移動端末であって、
複数のネットワークインタフェースカードと、
前記ネットワークインタフェースに関する情報に基づいて、前記複数のネットワークインタフェースの中から、少なくとも１つのネットワークインタフェースカードを選択するように構成されている通信マネージャと、
選択された前記ネットワークインタフェースカードを用いて、前記制御装置から送信されたパケットを受信するように構成されている上位層マネージャとを具備し、
前記パケット通信システムは、複数のホームエージェントが、それぞれホームアドレス及び気付けアドレスに基づいて、受信した前記移動端末宛てのパケットについての経路制御を実現するように構成されており、
前記複数のネットワークインタフェースは、前記複数のホームエージェントの各々と接続可能に構成されており、
前記上位層マネージャは、
前記ネットワークインタフェースカードの各々と前記ホームアドレスとを関連付けて管理する管理部と、
前記複数のホームエージェントに対して、選択された前記ネットワークインタフェースカードに関連付けられている代表ホームアドレス宛てに、前記移動端末宛てのパケットを転送するように指示する指示部とを具備することを特徴とする移動端末。
【請求項４】
前記指示部は、前記複数のホームエージェントに対して、前記代表ホームアドレス向けのバインディング更新によって前記指示を行うことを特徴とする請求項３に記載の移動端末。
【請求項５】
前記パケット通信システムは、ＤＮＳサーバを介して、前記移動端末宛てのパケットを前記ホームエージェントに転送するように構成されており、
前記指示部は、前記ＤＮＳサーバに対して、前記代表ホームアドレス宛てに、前記移動端末宛てのパケットを転送するように指示することを特徴とする請求項３に記載の移動端末。
【請求項６】
制御装置が、受信した移動端末宛てのパケットについての経路制御を実現するパケット通信システムにおける制御装置であって、
複数のネットワークインタフェースカードを具備する前記移動端末から、該ネットワークインタフェースカードの各々に設定されている複数のリンク層アドレスを受信する受信部と、
前記移動端末に割り当てられているネットワーク層アドレス及び受信した前記複数の代表リンク層アドレスに基づいて、前記経路制御を実現するための経路制御情報を管理する管理部とを具備することを特徴とする制御装置。
【請求項７】
前記パケット通信システムは、前記制御装置が、移動端末宛てのパケットを受信した場合に、該移動端末のページングエリアに対してページング通知パケットを送信することによって、該移動端末の位置情報を取得して該パケットの転送先を決定するページング制御を実現するように構成されており、
前記受信部は、複数のネットワークインタフェースカードを具備する前記移動端末から、該移動端末のページングエリアを形成するためのページング登録パケットと共に、該ネットワークインタフェースカードの各々に設定されている複数のリンク層アドレスを受信し、
前記管理部は、前記ネットワーク層アドレス及び受信した前記複数の代表リンク層アドレスに基づいて、該移動端末のページングエリアを管理することを特徴とする請求項６に記載の制御装置。
【請求項８】
複数のホームエージェントが、それぞれホームアドレス及び気付けアドレスに基づいて、受信した移動端末宛てのパケットについての経路制御を実現するパケット通信システムにおけるホームエージェントであって、
複数のネットワークインタフェースカードを具備する前記移動端末から、該ネットワークインタフェースカードの各々に関連付けられているホームアドレスの中から決定された代表ホームアドレスを受信する受信部と、
前記代表ホームアドレス宛てに、前記移動端末宛てのパケットを転送するパケット転送部とを具備することを特徴とするホームエージェント。
【請求項９】
前記代表ホームアドレス宛ての経路情報を管理する経路情報管理部を具備し、
前記パケット転送部は、前記代表ホームアドレス宛ての経路情報に基づいて、前記移動端末宛てのパケットを転送し、
前記経路情報管理部は、前記移動端末からのバインディング更新によって、前記代表ホームアドレス宛ての経路情報を更新することを特徴とする請求項８に記載のホームエージェント。
【請求項１０】
前記パケット通信システムは、移動端末宛てのパケットを受信した場合に、該移動端末のページングエリアに対してページング通知パケットを送信することによって、該移動端末の位置情報を取得して該パケットの転送先を決定する制御装置を具備しており、
前記代表ホームアドレス宛ての経路情報は、前記移動端末宛てのパケットを前記制御装置に転送するように設定されていることを特徴とする請求項９に記載のホームエージェント。